(57)【要約】【課題】画像形成ジョブの重複についてユーザーへの意図しない通知の発生を防止することができる画像形成装置を提供する。【解決手段】画像形成ジョブの重複を検知するための重複検知条件をユーザーが設定するための設定手段（操作パネル４、ユーザーＩ／Ｆ１２、ＣＰＵ５）と、設定手段で設定された重複検知条件が保存される記憶手段（メモリ６）と、新規の画像形成ジョブの実行指令があったとき、重複検知条件に基づいて、新規の画像形成ジョブと過去の画像形成ジョブとの重複を検知する検知手段（ＣＰＵ５）と、検知手段で複数の画像形成ジョブの重複を検知した場合に、ユーザーに通知する通知手段（操作パネル４、ユーザーＩ／Ｆ１２、ＣＰＵ５）とを備える。【選択図】図１
2011189591.tif 000002
【特許請求の範囲】
【請求項１】
画像形成ジョブの実行指令に基づいて該画像形成ジョブを実行する画像形成装置であって、
前記画像形成ジョブの重複を検知するための重複検知条件をユーザーが設定するための設定手段と、
前記設定手段で設定された前記重複検知条件が保存される記憶手段と、
新規の画像形成ジョブの実行指令があったとき、前記重複検知条件に基づいて、前記新規の画像形成ジョブと過去の画像形成ジョブとの重複を検知する検知手段と、
前記検知手段で前記複数の画像形成ジョブの重複を検知した場合に、ユーザーに通知する通知手段と、
を備えたことを特徴とする画像形成装置。
【請求項２】
請求項１の画像形成装置において、
前記記憶手段は、前記重複検知条件がユーザー別に保存されていることを特徴とする画像形成装置。
【請求項３】
請求項１又は２の画像形成装置において、
前記検知手段は、前記新規の画像形成ジョブ及び前記過去の画像形成ジョブそれぞれの属性又は内容に基づいて、該属性又は内容が一致している場合に前記画像形成ジョブが重複していると判断することを特徴とする画像形成装置。
【請求項４】
請求項３の画像形成装置において、
前記一致しているか否かの判断の対象である前記属性は、前記画像形成ジョブのユーザー名、ホスト名、文書名、ジョブ名、用紙タイプ、用紙サイズ、ページ数、部数及びデータサイズの少なくとも一つであることを特徴とする画像形成装置。
【請求項５】
請求項３又は４の画像形成装置において、
前記重複検知条件として、前記新規の画像形成ジョブと前記過去の画像形成ジョブとの間で前記属性又は内容が一致しているか否かの判断の有無を設定可能なことを特徴とする画像形成装置。
【請求項６】
請求項１乃至５のいずれかの画像形成装置において、
前記重複検知条件として、前記画像形成ジョブの重複検知を行うか否かを設定可能なことを特徴とする画像形成装置。
【請求項７】
請求項１乃至６のいずれかの画像形成装置において、
前記重複検知条件として、前記新規の画像形成ジョブと比較する前記過去の画像形成ジョブの数を設定可能なことを特徴とする画像形成装置。
【請求項８】
請求項１乃至７のいずれかの画像形成装置において、
前記重複検知条件として、前記新規の画像形成ジョブと比較する前記過去の画像形成ジョブの実行指令の時間を設定可能なことを特徴とする画像形成装置。
【請求項９】
請求項１乃至８のいずれかの画像形成装置において、
前記通知手段は、前記新規の画像形成ジョブ及び前記過去の画像形成ジョブのいずれか一方の画像形成ジョブを消去するかどうかをユーザーに問い合わせることを特徴とする画像形成装置。
【発明の詳細な説明】
【技術分野】
【０００１】
本発明は、画像形成ジョブの実行指令に基づいて画像形成を実行するプリンタ、印刷機などの画像形成装置に関するものである。
【背景技術】
【０００２】
従来、この種の画像形成装置として、外部装置であるコンピュータ装置等のユーザー端末装置から印刷ジョブ（画像形成ジョブ）の実行指令に基づいて画像形成動作を実行するものが知られている。このような画像形成装置を用いて、例えばＷｅｂページやドキュメントなどを印刷する際、印刷ジョブの実行指令をユーザ端末装置からネットワークを介して画像形成装置に送信する。画像形成装置は、印刷ジョブの実行指令を受信すると直ちに印刷ジョブを実行するが、印刷ジョブの前のビットマップデータへの展開処理など、処理に時間がかかるような重い印刷ジョブに関しては、すぐには印刷を実行できない場合がある。そして、このようにすぐには印刷ジョブを実行できない場合を、ユーザーが「印刷ジョブの送信ミス」と勘違いし、再度同じ印刷ジョブの実行指令を送信してしまうことで、余計な印刷ジョブを実行してしまい、用紙を無駄遣いしてしまうことがある。
【０００３】
上記再度同じ印刷ジョブの実行指令を送信してしまう場合の問題を解決するために、新規に受信した印刷ジョブと既に格納済の印刷ジョブとを比較し、印刷ジョブの少なくとも一部の内容または属性が等しい場合には、同一の印刷ジョブの実行指令を受信したと判断し、ユーザーに同一の印刷ジョブを実行するかどうかを確認する画像形成装置が知られている（特許文献１参照）。この画像形成装置では、新規に受信した印刷ジョブと既に格納済の印刷ジョブを比較した結果、少なくとも一部の属性が等しいときには、どちらか一方の印刷ジョブを消去するか又はどちらか一方の印刷ジョブを消去させるかをユーザーに問い合わせるように通知される。
【発明の概要】
【発明が解決しようとする課題】
【０００４】
しかし、上記従来の画像形成装置では、ユーザーが意図しない問い合わせが発生するおそれがある。例えば、ユーザーが出力する部数を少ない部数で設定して印刷ジョブの実行指令を送信し、その後、続けて部数の不足分として同一の印刷ジョブの実行指令を送信したとき、比較する印刷ジョブの内容または属性によっては、既に実行した印刷ジョブとして検知してしまい、ユーザーへ問い合わせる通知が発生してしまうおそれがある。
【０００５】
本発明は以上の問題点に鑑みなされたものであり、その目的は、画像形成ジョブの重複についてユーザーへの意図しない通知の発生を防止することができる画像形成装置を提供することである。
【課題を解決するための手段】
【０００６】
上記目的を達成するために、請求項１の発明は、画像形成ジョブの実行指令に基づいて該画像形成ジョブを実行する画像形成装置であって、前記画像形成ジョブの重複を検知するための重複検知条件をユーザーが設定するための設定手段と、前記設定手段で設定された前記重複検知条件が保存される記憶手段と、新規の画像形成ジョブの実行指令があったとき、前記重複検知条件に基づいて、前記新規の画像形成ジョブと過去の画像形成ジョブとの重複を検知する検知手段と、前記検知手段で前記複数の画像形成ジョブの重複を検知した場合に、ユーザーに通知する通知手段と、を備えたことを特徴とするものである。
また、請求項２の発明は、請求項１の画像形成装置において、前記記憶手段は、前記重複検知条件がユーザー別に保存されていることを特徴とするものである。
また、請求項３の発明は、請求項１又は２の画像形成装置において、前記検知手段は、前記新規の画像形成ジョブ及び前記過去の画像形成ジョブそれぞれの属性又は内容に基づいて、該属性又は内容が一致している場合に前記画像形成ジョブが重複していると判断することを特徴とするものである。
また、請求項４の発明は、請求項３の画像形成装置において、前記一致しているか否かの判断の対象である前記属性は、前記画像形成ジョブのユーザ名、ホスト名、文書名、ジョブ名、用紙タイプ、用紙サイズ、ページ数、部数及びデータサイズの少なくとも一つであることを特徴とするものである。
また、請求項５の発明は、請求項３又は４の画像形成装置において、前記重複検知条件として、前記新規の画像形成ジョブと前記過去の画像形成ジョブとの間で前記属性又は内容が一致しているか否かの判断の有無を設定可能なことを特徴とするものである。
また、請求項６の発明は、請求項１乃至５のいずれかの画像形成装置において、前記重複検知条件として、前記画像形成ジョブの重複検知を行うか否かを設定可能なことを特徴とするものである。
また、請求項７の発明は、請求項１乃至６のいずれかの画像形成装置において、前記重複検知条件として、前記新規の画像形成ジョブと比較する前記過去の画像形成ジョブの数を設定可能なことを特徴とするものである。
また、請求項８の発明は、請求項１乃至７のいずれかの画像形成装置において、前記重複検知条件として、前記新規の画像形成ジョブと比較する前記過去の画像形成ジョブの実行指令の時間を設定可能なことを特徴とするものである。
また、請求項９の発明は、請求項１乃至８のいずれかの画像形成装置において、前記通知手段は、前記新規の画像形成ジョブ及び前記過去の画像形成ジョブのいずれか一方の画像形成ジョブを消去するかどうかをユーザーに問い合わせることを特徴とするものである。
【発明の効果】
【０００７】
本発明によれば、画像形成ジョブの重複を検知するための重複検知条件をユーザーが設定すると、その設定された重複検知条件が記憶手段に保存される。そして、新規の画像形成ジョブの実行指令があったときに、前記重複検知条件に基づいて、前記新規の画像形成ジョブと過去の画像形成ジョブとの重複との検知を実行し、その重複を検知した場合にユーザーに通知される。このようにユーザーが設定した重複検知条件に基づいて画像形成ジョブの重複が検知されて通知されるので、画像形成ジョブの重複についてユーザーへの意図しない通知の発生を防止することができる、という効果を奏する。
【図面の簡単な説明】
【０００８】
【図１】本発明の一実施形態に係る画像形成装置としての複合機能プリンタの概略構成を示すブロック図。
【図２】印刷ジョブの重複検知条件の設定メニュー画面の一例を示す説明図。
【図３】過去の印刷ジョブのリストの一例を示す説明図。
【図４】印刷ジョブの重複検知条件の設定メニュー画面の他の例を示す説明図。
【図５】新規の印刷ジョブの受信から同一の印刷ジョブの検知及びユーザーへの問い合わせ通知までの動作の一例を示すフローチャート。
【発明を実施するための形態】
【０００９】
以下、図面を参照しながら、本発明の実施の形態を説明する。
図１は、本発明の一実施形態に係る画像形成装置としての複合機能プリンタ（ＭＦＰ：Multi Function Printer）の概略構成を示すブロック図である。本実施形態のプリンタ１は、プリンタ及び複写機の各機能を有している。
【００１０】
図１において、プリンタ１は、原稿の画像を取り込んで画像データを生成する画像読み取り手段としての読み取り装置２と、画像データに基づいて用紙上に画像を形成するプリンタ機能を行う画像形成処理部としてのプロッタ装置３と、ユーザーからの操作・指示を受ける操作手段としての操作パネル４とを備えている。プロッタ装置３は、例えば電子写真方式の画像形成が可能な印刷エンジンで構成される。
【００１１】
また、プリンタ１は、内部機構として、制御手段としてのＣＰＵ５と、記憶手段としての不揮発性ＲＡＭなどからなるメモリ６と、ＲＯＭ７と、ハードディスクドライブ装置（ＨＤＤ）８と、外部通信手段としてのネットワークＩ／Ｆ９と、読み取り装置２に接続されたスキャナＩ／Ｆ１０と、プロッタ装置３に接続されたプロッタＩ／Ｆ１１と、操作パネルに接続されたユーザーＩ／Ｆ１２とを備えている。これらのＣＰＵ５、メモリ６、ＲＯＭ７、ハードディスクドライブ装置（ＨＤＤ）８、ネットワークＩ／Ｆ９、スキャナＩ／Ｆ１０、プロッタＩ／Ｆ１１及びユーザーＩ／Ｆ１２はそれぞれ、システムバス１３により接続されている。
【００１２】
プリンタ１内で新規に生成されたりコンピュータ装置１４等の外部装置（ホスト装置）から新規に受信したりした新規の印刷ジョブの情報や過去の印刷ジョブの情報は、例えばメモリ６又はハードディスクドライブ装置（ＨＤＤ）８に保存される。
【００１３】
また、ネットワークＩ／Ｆ９は、ＴＣＰ／ＩＰなどの所定の通信プロトコルにより、ＬＡＮ（Local Area Network）、ＷＡＮ（Wide Area Network）、インターネットなどのネットワークを介して、外部装置（ホスト装置）であるユーザ端末装置としてのコンピュータ装置１４との間で通信するための処理を行う。
【００１４】
上記構成のプリンタ１において、例えば、ユーザが読み取り装置２に原稿をセットし、ユーザーが操作パネル４でコピー操作を行うと、読み取り装置２で原稿が読み取られて画像データが生成されるとともに、画像形成ジョブとしての印刷ジョブの実行指令が発生する。この実行指令に基づき、プロッタ装置３は、原稿の画像データを用いて印刷ジョブを実行し、原稿の画像が形成された用紙を出力する。また例えば、コンピュータ装置１４等の外部装置（ホスト装置）から、ネットワークＩ／Ｆ９を介して画像データを含む画像形成ジョブとしての印刷ジョブの実行指令を受信すると、この実行指令に基づき、プロッタ装置３は、外部装置（ホスト装置）から受信した画像データを用いて印刷ジョブを実行し、所定の画像が形成された用紙を出力する。
【００１５】
本実施形態のプリンタ１は、用紙の無駄を防止するために、ユーザーの誤操作などによって発生した印刷ジョブの重複を検知してユーザーに通知する機能を有している。印刷ジョブの重複の検知は、検知手段としても機能する制御手段としてのＣＰＵ５で行われる。また、ユーザーへの通知は、操作パネル４の表示部や、外部装置（ホスト装置）のコンピュータ装置１４の表示部に対して行われる。このユーザーへの通知は、例えば、互いに重複していると判断された新規の印刷ジョブ及び過去の印刷ジョブのいずれか一方の印刷ジョブを消去するかどうかをユーザーに問い合わせるように行われる。例えば、「同一ジョブの確認・印刷継続可否」の問い合わせメッセージを含む通知が行われる。
【００１６】
また、本実施形態のプリンタ１では、印刷ジョブの重複についてユーザーの意図しない通知が行われないように、印刷ジョブの重複を検知するための重複検知条件をユーザーが任意に設定できるように構成されている。ここで、印刷ジョブの重複を検知するための重複検知条件をユーザーが操作パネル４を操作して設定する場合は、その重複検知条件の設定手段は、操作パネル４とユーザーＩ／Ｆ１２とＣＰＵ５とを用いて構成される。また、印刷ジョブの重複を検知するための重複検知条件をユーザーが外部装置（ホスト装置）のコンピュータ装置１４を操作して設定する場合は、その重複検知条件の設定手段は、ネットワークＩ／Ｆ９とＣＰＵ５とを用いて構成される。コンピュータ装置１４を用いた設定は、例えば、コンピュータ装置１４の表示部に、重複検知条件の設定のための所定のＷｅｂページ画面を表示して行われる。
【００１７】
前記設定手段で設定された重複検知条件は、メモリ６などの記憶手段に保存される。検知手段としても機能するＣＰＵ５は、新規の印刷ジョブの実行指令があったとき、前記設定手段で設定された重複検知条件に基づいて、新規の印刷ジョブと過去の印刷ジョブとの重複を検知する。
【００１８】
また、前記検知手段で印刷ジョブの重複を検知した場合にユーザーに通知する通知手段は、例えば、操作パネル４とユーザーＩ／Ｆ１２とＣＰＵ５とを用いて構成される。この場合は、操作パネル４の表示部に通知される。また、前記通知手段は、ネットワークＩ／Ｆ９とＣＰＵ５とを用いて構成される。この場合は、外部装置（ホスト装置）のコンピュータ装置１４の表示部に通知される。
【００１９】
図２は、印刷ジョブの重複検知条件の設定メニュー画面の一例を示す説明図である。この設定メニュー画面は、例えば操作パネル４の表示部や、外部装置（ホスト装置）のコンピュータ装置１４の表示部（Ｗｅｂページ画面）に表示され、ユーザが自由に設定できるようになっている。図示の例では、印刷ジョブの複数の属性ごとにチェック欄が設けられている。より具体的には、ユーザー名（ホスト名）、文書名（ジョブ名）、用紙タイプ／サイズ、ページ数、部数、データサイズ毎にチェック欄を設けている。そして、各チェック欄のチェック結果の情報が、重複検知条件として、メモリ６などの記憶手段に保存される。新規の印刷ジョブの実行指令があったときは、図２のチェック欄がＯＮになっている属性について、新規の印刷ジョブと、図３に例示するような既に格納済の過去の印刷ジョブとの間で、属性の内容が比較され、両方の印刷ジョブが同一か否かが判断される。これにより、ユーザーの意図した通りに同一の印刷ジョブを検知することができる。
【００２０】
ここで、例えば、外部装置（ホスト装置）のコンピュータ装置１４から印刷ジョブの実行指令を受信するときに、印刷ジョブの重複を検知するタイミングをできるだけ高速化したい場合には図２に示す属性のうち、データサイズのチェック欄をＯＦＦにする。これにより、ネットワークＩ／Ｆ９が印刷ジョブのデータを完全に受信し終える前に、新規印刷ジョブと同一の過去の印刷ジョブを検知することができる。
【００２１】
また、例えば、１回目の印刷ジョブで部数が足りない場合に再度同じ画像データを送るといったケースが多いユーザーの場合は、部数を検知させる設定としておけば、同じ画像データを再度送る２回目以降の印刷ジョブが重複していない別の印刷ジョブと判断されるため、「同一ジョブの確認・印刷継続可否」の問い合わせが発生せず、当該ユーザの業務効率を向上させることが可能になる。
【００２２】
なお、印刷ジョブの重複検知条件としては、前記印刷ジョブの属性の代わりに又は前記印刷ジョブの属性に加えて、印刷ジョブの内容（例えば画像データの内容）が一致するか否かを判断するようにしてもよい。
【００２３】
図４は、印刷ジョブの重複検知条件の設定メニュー画面の他の例を示す説明図である。この設定メニュー画面の例では、「重複ジョブ検知」、「最大比較ジョブ数」及び「有効検知時間」がそれぞれ設定できる。ここで、「重複ジョブ検知」の欄では、新規に印刷ジョブの実行指示があったとき（受信したとき）の重複検知の有効／無効を設定することができる。ユーザーが特に重複検知を必要としない場合は、このチェック欄をＯＦＦにすることで、速やかに印刷ジョブの実行を行うことができる。また、「最大比較ジョブ数」の欄では、重複検知の際に新規の印刷ジョブと比較する過去の古い印刷ジョブの最大数を設定することができる。また、「有効検知時間」の欄では、新規の印刷ジョブと過去の古い印刷ジョブを比較する際に、比較対象として有効となる過去の古いジョブを制限するための時間幅を設定することができる。新規の印刷ジョブと格納済の過去の印刷ジョブとの受信時刻の差が大きい場合、この時間幅を調節することで、最近実行された過去の印刷ジョブだけを比較対象として利用することができる。
【００２４】
図５は、新規の印刷ジョブの受信から同一の印刷ジョブの検知及びユーザーへの問い合わせ通知までの動作の一例を示すフローチャートである。図５において、まず、プリンタ１は、ユーザー端末装置としてのコンピュータ装置１４から送信された新規の印刷ジョブの実行指令をネットワークＩ／Ｆ９を介して受信する（Ｓ１）。この新規の印刷ジョブの受信を検知すると、プリンタ１のＣＰＵ５は、図４に示す印刷ジョブの重複検知設定のうち、「重複ジョブ検知」を確認する（Ｓ２）。ここで、「重複ジョブ検知」がＯＦＦになっている場合は、印刷ジョブの重複検知を行わずに、受信した印刷ジョブを実行する。
【００２５】
一方、上記ステップＳ２で、「重複ジョブ検知」がＯＮになっている場合は、ＣＰＵ５は図４に示す印刷ジョブの重複検知設定のうち、「最大比較ジョブ数」を確認し、その「最大比較ジョブ数」に設定されている数Ｎだけの過去の印刷ジョブの履歴をＨＤＤ８から取得する（Ｓ３）。次に、過去の印刷ジョブの履歴を取得した後、履歴の新しい印刷ジョブから順に印刷ジョブの内容が新規の印刷ジョブと一致しているかどうかを比較していく。まず、ＣＰＵ５は、図４に示す印刷ジョブの重複検知設定のうち、「有効検知時間」を確認する（Ｓ４）。もし、比較する過去の印刷ジョブと新規の印刷ジョブとの受信時刻の差が「有効検知時間」を超えている場合、印刷ジョブの重複検知を中止し、受信した印刷ジョブを実行する。
【００２６】
一方、上記ステップＳ４で「有効検知時間」を超えていない場合、ＣＰＵ５は図２に示すような印刷ジョブの属性のうち、ユーザーが重複検知条件として選択した属性を、過去の古い印刷ジョブと新規の印刷ジョブとの間で比較する（Ｓ５）。比較の結果、重複検知の条件となっている属性の内容が全て一致している場合は、新規の印刷ジョブを重複する印刷ジョブとして、ユーザーに印刷ジョブを消去するかどうかの問い合わせを行う（Ｓ６，Ｓ８）。一方、検知対象となっている過去の古い印刷ジョブを全て比較した結果、新規の印刷ジョブと完全に属性の内容が一致しているものがない場合は、過去の印刷ジョブに重複はなかったと判断し、受信した新規の印刷ジョブを実行する（Ｓ６，Ｓ７）。
【００２７】
以上、本実施形態によれば、印刷ジョブの重複を検知するための重複検知条件をユーザーが設定すると、その設定された重複検知条件がメモリ６などの記憶手段に保存される。そして、新規の印刷ジョブの実行指令があったときに、前記保存した重複検知条件に基づいて、新規の印刷ジョブと過去の印刷ジョブとの重複との検知を実行し、その重複を検知した場合にユーザーに通知される。このようにユーザーが設定した重複検知条件に基づいて印刷ジョブの重複が検知されて通知されるので、印刷ジョブの重複についてユーザーへの意図しない通知の発生を防止することができる。
また、本実施形態によれば、前記重複検知条件をユーザー別に保存することにより、同じプリンタを複数のユーザーが使用する場合に、その複数のユーザーごとに、ユーザーへの意図しない通知の発生を防止することができる。
また、本実施形態によれば、新規の印刷ジョブ及び過去の印刷ジョブそれぞれの属性又は内容に基づいて、その属性又は内容が一致している場合に印刷ジョブが重複していると判断することにより、印刷ジョブの重複について、より正確な判断が可能になる。
また、本実施形態によれば、新規の印刷ジョブと過去の印刷ジョブとの重複を、印刷ジョブのユーザー名、ホスト名、文書名、ジョブ名、用紙タイプ、用紙サイズ、ページ数、部数及びデータサイズの少なくとも一つが互いに一致しているか否かにより判断してもよい。この場合は、印刷ジョブの重複の更に正確な判断が可能になる。
また、本実施形態によれば、前記重複検知条件として、新規の印刷ジョブと過去の印刷ジョブとの間で、前記印刷ジョブのユーザー名、ホスト名、文書名、ジョブ名、用紙タイプ、用紙サイズ、ページ数、部数及びデータサイズ等の属性は内容が一致しているか否かの判断の有無を設定可能である。この場合は、印刷ジョブの種類や印刷ジョブの実行指示の発生の態様に応じてより適切な項目を設定して、新規の印刷ジョブと過去の印刷ジョブとの重複を判断できるようになる。例えば、外部から受信する印刷ジョブの重複を検知するタイミングをできるだけ高速化したい場合には、一致の判断の対象からデータサイズを外すことにより、印刷ジョブのデータを完全に受信し終える前に、新規の印刷ジョブと同一の過去の印刷ジョブを検知することができる。
また、本実施形態によれば、前記重複検知条件として、印刷ジョブの重複検知を行うか否かを設定可能にしてもよい。この場合は、ユーザーの希望に応じて印刷ジョブの重複検知自体を行わずに印刷ジョブを速やかに実行させることができる。
また、本実施形態によれば、前記重複検知条件として、新規の印刷ジョブと比較する過去の印刷ジョブの数を設定可能にしたり、新規の印刷ジョブと比較する過去の印刷ジョブの実行指令の時間を設定可能にしたりしてもよい。この場合は、最近実行された過去の印刷ジョブだけを比較対象として利用することができ、印刷ジョブの重複の検知を効率的に行うことができる。
また、本実施形態によれば、新規の印刷ジョブ及び過去の印刷ジョブのいずれか一方の印刷ジョブを消去するかどうかをユーザーに問い合わせるように通知することにより、印刷ジョブの重複についてユーザーへの意図しない問い合わせの発生を防止することができる。
【符号の説明】
【００２８】
１  プリンタ
２  読み取り装置
３  プロッタ装置
４  操作パネル
５  ＣＰＵ
６  メモリ
７  ＲＯＭ
８  ＨＤＤ
９  ネットワークＩ／Ｆ
１０  スキャナＩ／Ｆ
１１  プロッタＩ／Ｆ
１２  ユーザＩ／Ｆ
１３  システムバス
１４  コンピュータ装置
【先行技術文献】
【特許文献】
【００２９】
【特許文献１】特開２００７−０９８８４７号公報
【図１】
2011189591.tif 000003
【図２】
2011189591.tif 000004
【図３】
2011189591.tif 000005
【図４】
2011189591.tif 000006
【図５】
2011189591.tif 000007